(57)【要約】【課題】仲介連結部材への主鉄筋の連結作業にかかる時間や労力を軽減化して、工期や工費の増大化を防止することができる鉄骨柱の設置構造を提供する。【解決手段】梁コンクリート６中に埋め込まれる鉄骨柱４と、この鉄骨柱４を囲むように離隔して配置され、梁コンクリート６の主鉄筋１２が連結されている仲介連結部材８とを備えた鉄骨柱の設置構造３０であって、前記仲介連結部材８の外周部鉛直面にオネジ状部材２３又はメネジ状部材の端面が接合されていることを特徴とする。【効果】鉄骨柱の設置構造における仲介連結部材への主鉄筋の連結作業にかかる時間や労力を軽減化して、工期や工費の増大化を防止することができる。【選択図】図１
2010150782.tif 000002
【特許請求の範囲】
【請求項１】
梁コンクリート中に埋め込まれる鉄骨柱と、この鉄骨柱を囲むように離隔して配置され、梁コンクリートの主鉄筋が連結されている仲介連結部材とを備えた鉄骨柱の設置構造であって、
前記仲介連結部材の外周部鉛直面にオネジ状部材又はメネジ状部材の端面が接合されている
ことを特徴とする鉄骨柱の設置構造。
【請求項２】
前記オネジ状部材が、メネジ状部材を介して前記主鉄筋のオネジ状端部と連結されていることを特徴とする請求項１に記載の鉄骨柱の設置構造。
【請求項３】
前記メネジ状部材が、オネジ状部材及びメネジ状部材を介して前記主鉄筋のオネジ状端部と連結されていることを特徴とする請求項１に記載の鉄骨柱の設置構造。
【請求項４】
梁コンクリート中に埋め込まれる鉄骨柱と、この鉄骨柱を囲むように離隔して配置され、梁コンクリートの主鉄筋が連結されている仲介連結部材とを備えた鉄骨柱の設置構造であって、
前記仲介連結部材の外周部鉛直面に形成されたメネジ状孔が、オネジ状部材及びメネジ状部材を介して前記主鉄筋のオネジ状端部と連結されている
ことを特徴とする鉄骨柱の設置構造。
【請求項５】
前記オネジ状部材のオネジ状部と前記主鉄筋のオネジ状端部とが、逆ネジ状の関係となっていることを特徴とする請求項３または４に記載の鉄骨柱の設置構造。
【発明の詳細な説明】
【技術分野】
【０００１】
本発明は、梁コンクリート中に埋め込まれる鉄骨柱と、この鉄骨柱を囲むように離隔して配置され、梁コンクリートの主鉄筋が連結されている仲介連結部材とを備えた鉄骨柱の設置構造に関するものである。
【背景技術】
【０００２】
従来の鉄骨柱の設置構造としては、例えば、図９に示すようなものがある。この図９に示された従来の鉄骨柱の設置構造２は、鉄骨柱４の下端部４ａがグラウト材２４として用いられる梁コンクリート中に埋め込まれ、この鉄骨柱４から離隔して、グラウト材２４を介して囲むように筒状部材２２が配置され、この筒状部材２２の外周面に、四角い枠状の仲介連結部材８の開口部８ａが固定されている。
【０００３】
そして、梁コンクリート６の主鉄筋１２のオネジ状端部１２ａが、仲介連結部材８に軸が水平方向になるよう形成された、メネジ孔８ｂに連結された構造となっている。図９において、符号１３はあばら筋を示し、符号１４は捨てコンクリートを示している。
【発明の開示】
【発明が解決しようとする課題】
【０００４】
しかしながら、上記従来の鉄骨柱の設置構造２においては、仲介連結部材８に設けられたメネジ孔８ｂに、主鉄筋１２のオネジ状端部１２ａがネジ込まれることにより、仲介連結部材８に主鉄筋１２が連結されるようになっている。このため、長くて重い主鉄筋１２を手で持って回転させなければならないので、仲介連結部材８への主鉄筋１２の連結作業が容易ではない。このことにより、その連結作業にかかる時間や労力が増大して、工期や工費の増大化を招くという問題があった。
【０００５】
そこで本発明は、上記問題点に鑑みて、仲介連結部材への主鉄筋の連結作業にかかる時間や労力を軽減化して、工期や工費の増大化を防止することができる鉄骨柱の設置構造を提供することを課題とするものである。
【課題を解決するための手段】
【０００６】
上記課題を解決するために本発明は、
梁コンクリート中に埋め込まれる鉄骨柱と、この鉄骨柱を囲むように離隔して配置され、梁コンクリートの主鉄筋が連結されている仲介連結部材とを備えた鉄骨柱の設置構造であって、
前記仲介連結部材の外周部鉛直面にオネジ状部材又はメネジ状部材の端面が接合されていることを特徴とするものである。
【０００７】
また、上記鉄骨柱の設置構造は、
前記オネジ状部材が、メネジ状部材を介して前記主鉄筋のオネジ状端部と連結されていることを特徴とするものである。
【０００８】
また、上記鉄骨柱の設置構造は、
前記メネジ状部材が、オネジ状部材及びメネジ状部材を介して前記主鉄筋のオネジ状端部と連結されていることを特徴とするものである。
【０００９】
上記課題を解決するために本発明は、
梁コンクリート中に埋め込まれる鉄骨柱と、この鉄骨柱を囲むように離隔して配置され、梁コンクリートの主鉄筋が連結されている仲介連結部材とを備えた鉄骨柱の設置構造であって、
前記仲介連結部材の外周部鉛直面に形成されたメネジ状孔が、オネジ状部材及びメネジ状部材を介して前記主鉄筋のオネジ状端部と連結されていることを特徴とするものである。
【００１０】
また、上記鉄骨柱の設置構造は、
前記オネジ状部材のオネジ状部と前記主鉄筋のオネジ状端部とが、逆ネジ状の関係となっていることを特徴とするものである。
【発明の効果】
【００１１】
このような本発明の鉄骨柱の設置構造によれば、
梁コンクリート中に埋め込まれる鉄骨柱と、この鉄骨柱を囲むように離隔して配置され、梁コンクリートの主鉄筋が連結されている仲介連結部材とを備えた鉄骨柱の設置構造であって、
前記仲介連結部材の外周部鉛直面にオネジ状部材又はメネジ状部材の端面が接合されていることにより、
仲介連結部材への主鉄筋の連結作業にかかる時間や労力を軽減化して、工期や工費の増大化を招くことを防止することができる。
【００１２】
また、本発明の鉄骨柱の設置構造によれば、
梁コンクリート中に埋め込まれる鉄骨柱と、この鉄骨柱を囲むように離隔して配置され、梁コンクリートの主鉄筋が連結されている仲介連結部材とを備えた鉄骨柱の設置構造であって、
前記仲介連結部材の外周部鉛直面に形成されたメネジ状孔が、オネジ状部材及びメネジ状部材を介して前記主鉄筋のオネジ状端部と連結されていることにより、
仲介連結部材への主鉄筋の連結作業にかかる時間や労力を軽減化して、工期や工費の増大化を招くことを防止することができる。
【００１３】
また、本発明の鉄骨柱の設置構造によれば、
前記オネジ状部材のオネジ状部と前記主鉄筋のオネジ状端部とが、逆ネジ状の関係となっていることにより、
オネジ状部材と主鉄筋は互いに近づくように引っ張られるような力を受けて、両部材間がたるむことなくしっかりと緊張して連結することができる。
【発明を実施するための最良の形態】
【００１４】
以下、本発明に係る鉄骨柱の設置構造を実施するための最良の形態について、図面に基づいて具体的に説明する。
図１から図３は、本発明の第１の実施の形態に係る鉄骨柱の設置構造２０について説明するために参照する図である。本実施の形態においては、従来の鉄骨柱の設置構造と同様の部分には同じ符号を用いて説明し、従来と同様の構成についての重複する説明はなるべく省略するものとする。
【００１５】
図１に示すように、本実施の形態に係る鉄骨柱の設置構造２０は、捨てコンクリート１４の上に立設された鉄骨柱４の下端部４ａがグラウト材２４として用いられる基礎梁コンクリート中に埋め込まれ、この鉄骨柱４からその外側に離隔して、グラウト材２４を介して鉄骨柱４を囲むように筒状部材２２が配置されている。
【００１６】
そして、この筒状部材２２の外周面の高さ方向途中の２箇所の位置に、図２に示すような仲介連結部材８の開口部８ａが固定されると共に、この仲介連結部材８に、図３に示すように、基礎梁コンクリート６の主鉄筋１２のオネジ状端部１２ａが連結された構造となっている。
【００１７】
図２に示すように、仲介連結部材８は、その各辺の端部同士が連続して隅部を構成すると共に、上記筒状部材２２の外周面に固定される開口部８ａを有するような、四角い枠状に形成されている。このような仲介連結部材８の外周部の、互いに対向する二辺の鉛直面（図１参照）のそれぞれには、軸が水平で、機械切削加工により外周部にオネジ（オネジ状部）が形成されたネジ棒部材２３（オネジ状部材）が、図２に示すように、互いに対向する二辺の長さ方向に間隔を置いて６本ずつ設けられている。
【００１８】
このネジ棒部材２３の端面と、仲介連結部材８の外周部鉛直面との間に発生するアークにより互いに溶かされて接合されるような、いわゆるスタッド溶接手段により、ネジ棒部材２３の端面と仲介連結部材８の外周部鉛直面が接合されるようになっている。
【００１９】
なお、ネジ棒部材２３が設けられる位置は、四角い枠状の仲介連結部材８の互いに対向する二辺に限定されず、またネジ棒部材２３の数も６本に限定されないことはいうまでもない。すなわち、本実施の形態に係る鉄骨柱４が、建物の敷地水平面のどの位置に立てられるかにより、仲介連結部材８の互いに隣り合う二辺、または三辺、或は四辺のそれぞれにネジ棒部材２３を設けることができる。
【００２０】
図３に示すように、仲介連結部材８の外周部鉛直面にその基端側（図中左端側）が接合されて設けられた、ネジ棒部材２３の先端側（図中右端側）は、カプラー２５（メネジ状部材）を介して、主鉄筋１２のオネジ状端部１２ａと連結するようになっている。このとき、仲介連結部材８に設けられたネジ棒部材２３と、主鉄筋１２のオネジ状端部１２ａは、互いにネジの螺旋方向の傾きが逆向きの、逆ネジ状の関係となっている。
【００２１】
このことと関連して、カプラー２５の一端側の半分の長さ部分の軸線に沿って形成されたメネジ状孔のメネジと、その他端側の半分の長さ部分の軸線に沿って形成されたメネジ状孔のメネジとの間も、互いにネジの螺旋方向の傾きが逆向きの、逆ネジ状の関係となっている。
【００２２】
したがって、長くて重い主鉄筋１２を手で持って回転させなくとも、カプラー２５を回転させるだけで容易に、仲介連結部材８と主鉄筋１２を連結することができる。このとき、ネジ棒部材２３と主鉄筋１２は互いに近づくように引っ張られるような力を受けて、両部材間がたるむことなくしっかりと緊張して連結することができる。
【００２３】
このような第１の実施の形態に係る鉄骨柱の設置構造２０によれば、長くて重い主鉄筋１０を手で持って回転させなくとも、カプラー２５を回転させるだけで容易に、仲介連結部材８に主鉄筋１２を連結することができるので、仲介連結部材８への主鉄筋１２の連結作業にかかる時間や労力を軽減化して、工期や工費の増大化を防止することができる。
【００２４】
また、仲介連結部材８へのネジ棒部材２３の接合は、スタッド溶接により仲介連結部材８各辺の鉛直面にネジ棒部材２３の端面が接合されるようになっているので、やはり仲介連結部材８へのネジ棒部材２３の取り付け作業を容易にすることができる。
【００２５】
図４から図６は、本発明の第２の実施の形態に係る鉄骨柱の設置構造３０について説明するために参照する図である。本実施の形態においては、前記第１の実施の形態に係る鉄骨柱の設置構造と同様の部分には同じ符号を用いて説明し、前記第１の実施の形態と同様の構成についての重複する説明はなるべく省略するものとする。
【００２６】
前記第１の実施の形態においては、四角い枠状の仲介連結部材８の二辺の外周部鉛直面にネジ棒部材２３（オネジ状部材）の端面を設けていたが、この第２の実施の形態では、図４，５に示すように、四角い枠状の仲介連結部材８の二辺の外周部鉛直面に、軸が水平で、その軸線に沿ってメネジ孔１０ａ（メネジ状孔）を有するカプラー１０（メネジ状部材）が、図５に示すように、互いに対向する二辺の長さ方向に間隔を置いて６個ずつ設けられている。
【００２７】
そして、カプラー１０はその端面が、いわゆる圧接加工手段を用いて仲介連結部材８の外周部鉛直面に接合されるようになっている。圧接加工手段とは、カプラー１０を軸周りに高速回転させて、仲介連結部材８の各辺に押し付けることにより発生する摩擦熱により、互いに接触する部分を溶融、圧着させて接合する加工手段をいう。
【００２８】
なお、カプラー１０が設けられる位置は、四角い枠状の仲介連結部材８の互いに対向する二辺に限定されず、またカプラー１０の数も６個に限定されないことはいうまでもない。すなわち、本実施の形態に係る鉄骨柱４が、建物の敷地水平面のどの位置に立てられるかにより、仲介連結部材８の互いに隣り合う二辺、または三辺、或は四辺のそれぞれにカプラー１０を設けることができる。
【００２９】
図６に示すように、仲介連結部材８に設けられたカプラー１０のメネジ孔１０ａに、主鉄筋１２より遥かに短いネジ棒部材３２（オネジ状部材）の一端側の約半分の長さ部分のオネジ（オネジ状部）をネジ込み、このネジ棒部材３２の他端側の約半分の長さ部分のオネジを、上記カプラー１０より長い、カプラー２５の一端側の約半分の長さ部分のメネジ孔のメネジにネジ結合させ、そのカプラー２５の他端側の約半分の長さ部分のメネジ孔のメネジに、主鉄筋１２のオネジ状端部１２ａをネジ結合させるようになっている。
【００３０】
このことと関連して、カプラー２５の一端側の半分の長さ部分のメネジ孔のメネジと、その他端側の半分の長さ部分のメネジ孔のメネジとの間も、互いにネジの螺旋方向の傾きが逆向きの、逆ネジ状の関係となっている。
【００３１】
したがって、長くて重い主鉄筋１０を手で持って回転させなくとも、カプラー２５を回転させるだけで仲介連結部材８と主鉄筋１２を容易に連結することができる。このとき、ネジ棒部材３２と主鉄筋１２は互いに近づくように引っ張られるような力を受けて、両部材間がたるむことなくしっかりと緊張して連結することができる。
【００３２】
このような第２の実施の形態に係る、鉄骨柱の設置構造３０によれば、長くて重い主鉄筋１０を手で持って回転させなくとも、カプラー２５を回転させるだけで、容易に仲介連結部材８に主鉄筋１２を連結することができるので、仲介連結部材８への主鉄筋１２の連結作業にかかる時間や労力を軽減化して、工期や工費の増大化を防止することができる。
【００３３】
また、仲介連結部材８へのカプラー１０の接合は、圧接加工手段を用いて仲介連結部材８各辺の鉛直面にカプラー１０の端面が接合されるようになっているため、前記従来の鉄骨柱の設置構造２のように、仲介連結部材８に機械切削加工により孔をあけてメネジを切る必要がないので、仲介連結部材８へのカプラー１０の取り付け作業を容易にすることができる。
【００３４】
図７及び図８は、本発明の第３の実施の形態に係る鉄骨柱の設置構造４０について説明するために参照する図である。前記第２の実施の形態においては、枠状の仲介連結部材８の外周部鉛直面にカプラー１０の端面が接合されていたのに対して、この第３の実施の形態は、枠状の仲介連結部材８自体の、水平方向の肉厚内に、軸が水平方向のメネジ孔８ｂ（メネジ状孔）が形成されている。
【００３５】
そして、図８に示すように、この仲介連結部材８のメネジ孔８ｂには、オネジ（オネジ状部）が外周部に形成されたネジ棒部材３２（オネジ状部材）の基端側（図中左側）の端部がネジ込まれて連結されている。そして、このネジ棒部材３２の先端側（図中右側）に突出した長さ部分は、カプラー２５を介して主鉄筋１２のオネジ状端部１２ａと連結されるようになっている。
【００３６】
なお、この第３の実施の形態においては、メネジ孔８ｂが仲介連結部材８の水平方向の肉厚全長を貫通している場合について説明したが、このように仲介連結部材８の肉厚全長を貫通しないで、仲介連結部材８の肉厚の途中で行き止まりになるようにメネジ孔８ａを形成してもよい。
【００３７】
このような第３の実施の形態に係る鉄骨柱の設置構造４０によれば、前記実施の形態と同様に、仲介連結部材８への主鉄筋１２の連結作業にかかる時間や労力を軽減化して、工期や工費の増大化を防止することができると共に、前記第１、第２の実施の形態において用いた、ネジ棒部材２３やカプラー１０等の部品を減らすことができる。
【００３８】
なお、前記実施の形態においては、本発明を基礎梁コンクリートの主鉄筋に適用した場合について説明したが、本発明は基礎梁コンクリートの主鉄筋への適用に限定する必要は無く、本発明は、例えば、１階の天井側の梁コンクリートの主鉄筋や、それより上方の階の梁コンクリートの主鉄筋にも適用することができる。
【００３９】
また、前記実施の形態においては、主鉄筋１２のオネジ状端部１２ａや、ネジ棒部材２３，３２のオネジが、機械切削加工により形成された機械ネジについて説明したが、予め主鉄筋の製造時にその長さ方向に沿って螺旋状にオネジ状部が形成されたネジ付鉄筋（オネジ状部材）を用いてもよく、そのオネジ状部は鍛造や、螺旋に沿っての引抜き等の、切削加工以外の製造方法により形成したものであってもよい。
【００４０】
また、前記実施の形態においては、カプラー１０，２５のメネジが、機械切削加工により形成された機械ネジについて説明したが、上記ネジ付鉄筋のオネジ状部にネジ結合することができるメネジ状部が形成されたカプラー（メネジ状部材）を用いてもよく、また、そのメネジ状部も上記オネジ状部と同様に、切削加工以外の製造方法により形成したものであってもよい。
【００４１】
また、前記実施の形態においては、仲介連結部材８の外周部鉛直面に、ネジ棒部材２３の端面はスタッド溶接手段により接合され、カプラー１０の端面は圧接摩擦熱を用いて接合する圧接加工手段により接合されるようになっていて、それぞれの部材がそれぞれに好ましい接合手段により接合されていたが、それぞれの部材について、そのようなスタッド溶接手段や圧接加工手段以外の接合手段を用いてもよい。
【図面の簡単な説明】
【００４２】
【図１】本発明の第１の実施の形態に係る鉄骨柱の設置構造２０を示す断面側面図である。
【図２】図１に示す仲介連結部材８とネジ棒部材２３の平面図である。
【図３】図１，２に示すネジ棒部材２３の１本にカプラー２５を介して主鉄筋１２のオネジ状端部１２ａを連結した状態を示す部分拡大平面図である。
【図４】本発明の第２の実施の形態に係る鉄骨柱の設置構造３０を示す断面側面図である。
【図５】図４に示す仲介連結部材８とカプラー１０の平面図である。
【図６】図４，５に示すカプラー１０の１本に主鉄筋１２のオネジ状端部１２ａを連結した状態を示す部分拡大平面図である。
【図７】本発明の第３の実施の形態に係る鉄骨柱の設置構造４０を示す断面側面図である。
【図８】図７に示す仲介連結部材８のメネジ孔８ｂの１つにネジ棒部材３２、カプラー２５を介して主鉄筋１２のオネジ状端部１２ａを連結した状態を示す部分拡大平面図である。
【図９】従来の鉄骨柱の設置構造２を示す断面側面図である。
【符号の説明】
【００４３】
２  鉄骨柱の設置構造
４  鉄骨柱
４ａ  下端部
６  基礎梁コンクリート
８  仲介連結部材
８ａ  開口部
８ｂ  メネジ孔
１０  カプラー
１０ａ  メネジ孔
１２  主鉄筋
１２ａ  オネジ状端部
１３  あばら筋
１４  捨てコンクリート
２０  鉄骨柱の設置構造
２２  筒状部材
２３  ネジ棒部材
２４  グラウト材
２５  カプラー
３０  鉄骨柱の設置構造
３２  ネジ棒部材
４０  鉄骨柱の設置構造
【図１】
2010150782.tif 000003
【図２】
2010150782.tif 000004
【図３】
2010150782.tif 000005
【図４】
2010150782.tif 000006
【図５】
2010150782.tif 000007
【図６】
2010150782.tif 000008
【図７】
2010150782.tif 000009
【図８】
2010150782.tif 000010
【図９】
2010150782.tif 000011